(57)【要約】【課題】端子収容部の設置スペースを縮小化することのできる燃料供給装置の提供。【解決手段】複数の電装部品側端子と電気的に接続された複数のハウジング側端子２１を有し、ハウジング２は、複数のハウジング側端子２１を収容する複数の端子収容部３０を有し、複数の端子収容部３０は、プラス側の複数のハウジング側端子２１ａを収容する平面視円形の複数の円筒部３１と、マイナス側の複数のハウジング側端子２１ｂを収容する平面視矩形の複数の角筒部３２と、を含み、複数の円筒部３１は、所定方向に列を形成し、複数の角筒部３２は、所定方向に列を形成すると共に、所定方向に対し交差した斜め方向で複数の円筒部３１に隣接し、複数の円筒部３１に嵌合して、複数の円筒部３１と複数のプラス側配線６ａ，１７ａとの間を液密にシールする複数のシール部材４０を有する、という構成を採用する。【選択図】図１
2016176410.tif 000002
【特許請求の範囲】
【請求項１】
ハウジングと、
前記ハウジングに取り付けられた複数の電装部品と、
前記複数の電装部品から延びる複数の配線と、
前記複数の配線の先端に設けられた複数の電装部品側端子と、
前記ハウジングに設けられ、前記複数の電装部品側端子と電気的に接続された複数のハウジング側端子と、を有し、
前記ハウジングは、前記複数のハウジング側端子を収容する複数の端子収容部を有し、
前記複数の端子収容部は、プラス側の前記複数のハウジング側端子を収容する平面視円形の複数の円筒部と、マイナス側の前記複数のハウジング側端子を収容する平面視矩形の複数の角筒部と、を含み、
前記複数の円筒部は、所定方向に列を形成し、
前記複数の角筒部は、前記所定方向に列を形成すると共に、前記所定方向に対し交差した斜め方向で前記複数の円筒部に隣接し、
前記複数の円筒部に嵌合して、前記複数の円筒部と前記複数の配線との間を液密にシールする複数のシール部材を有する、ことを特徴とする燃料供給装置。
【発明の詳細な説明】
【技術分野】
【０００１】
本発明は、燃料供給装置に関するものである。
【背景技術】
【０００２】
車体等の燃料タンク内に設けられる燃料供給装置として、例えば、下記特許文献１に記載の燃料供給装置が知られている。この燃料供給装置は、電動モーターによって駆動される電動ポンプ装置と、電動ポンプ装置を収容保持するケース部材とを備え、ケース部材は、電動モーターの給電配線と接続される複数個の給電端子がそれぞれ電気的に絶縁された状態で個別に収容される複数個の端子収容部を有し、複数個の端子収容部は２列に配置され、他列の隣接する端子収容部が同列の隣接する端子収容部の間に配置されるように、各列の端子収容部が交互に設けられている。
【先行技術文献】
【特許文献】
【０００３】
【特許文献１】特開２０１０−１９６６２０号公報
【発明の概要】
【発明が解決しようとする課題】
【０００４】
上記先行技術によれば、限られたスペース内で、複数の端子収容部を効率よく配置することができる。しかしながら、近年の装置小型化の要請により、端子収容部の設置スペースがさらに縮小化される傾向にある。
【０００５】
本発明は、上記問題点に鑑みてなされたものであり、端子収容部の設置スペースを縮小化することのできる燃料供給装置の提供を目的とする。
【課題を解決するための手段】
【０００６】
上記の課題を解決するために、本発明は、ハウジングと、前記ハウジングに取り付けられた複数の電装部品と、前記複数の電装部品から延びる複数の配線と、前記複数の配線の先端に設けられた複数の電装部品側端子と、前記ハウジングに設けられ、前記複数の電装部品側端子と接続された複数のハウジング側端子と、を有し、前記ハウジングは、前記複数のハウジング側端子を収容する複数の端子収容部を有し、前記複数の端子収容部は、プラス側の前記複数のハウジング側端子を収容する平面視円形の複数の円筒部と、マイナス側の前記複数のハウジング側端子を収容する平面視矩形の複数の角筒部と、を含み、前記複数の円筒部は、所定方向に列を形成し、前記複数の角筒部は、前記所定方向に列を形成すると共に、前記所定方向に対し交差した斜め方向で前記複数の円筒部に隣接し、前記複数の円筒部に嵌合して、前記複数の円筒部と前記複数の配線との間を液密にシールする複数のシール部材を有する、燃料供給装置を採用する。
【発明の効果】
【０００７】
本発明においては、複数の端子収容部が複数の円筒部と複数の角筒部とを含み、複数の円筒部及び複数の角筒部が所定方向に列を形成すると共に、複数の角筒部は、所定方向に対し交差した斜め方向で複数の円筒部に隣接するため、所定方向に対し直交する列幅方向において複数の端子収容部の設置スペースを縮小化することができる。また、複数の円筒部には、プラス側の複数のハウジング側端子が収容され、複数のシール部材によって、複数の円筒部と複数の配線との間が液密にシールされるため、電気的な短絡を防止することができる。すなわち、プラス側が液密にシールされていれば、マイナス側が燃料に浸っても問題ないため、マイナス側の複数のハウジング側端子を収容する複数の端子収容部を、シール部材が付かない角筒部とすることで、複数の端子収容部を全て円筒部とするよりも複数の端子収容部をコンパクトに配置することができる。
このように、本発明によれば、端子収容部の設置スペースを縮小化することのできる燃料供給装置が得られる。
【図面の簡単な説明】
【０００８】
【図１】本発明の実施形態における燃料供給装置の（ａ）正面図と、（ｂ）矢視Ａ図である。
【発明を実施するための形態】
【０００９】
以下、本発明の実施形態について図面を参照して説明する。
【００１０】
図１は、本発明の実施形態における燃料供給装置１の（ａ）正面図と、（ｂ）矢視Ａ図である。なお、図１（ｂ）の矢視Ａ図は、後述する電装部品側端子２０を取り外した状態の複数の端子収容部３０の配置を示す平面図である。
燃料供給装置１は、車両等の燃料タンク（不図示）に設けられるものであり、図１（ａ）に示すように、ハウジング２と、ハウジング２に取り付けられた液面検出器３（電装部品）及び電動ポンプ４（電装部品）と、を有する。電動ポンプ４は、燃料タンク内の燃料を汲み上げて内燃機関に圧送するポンプ部を駆動するモーター５を有する。
【００１１】
モーター５には、複数の配線６が設けられている。複数の配線６は、プラス側配線６ａと、マイナス側配線６ｂと、を含む。複数の配線６は、ハウジング２に設けられたコネクタ７と電気的に接続されている。コネクタ７は、外部電源（不図示）等と電気的に接続されており、モーター５に電力を供給する。電動ポンプ４は、例えば非容積型のポンプであって、モーター５によって駆動する。電動ポンプ４の駆動によって汲み上げられた燃料は、内燃機関に供給される。
【００１２】
ハウジング２は、筒状に形成されており、その下部に、フランジ部９が設けられている。フランジ部９は、ハウジング２を燃料タンクに固定するためのものである。また、ハウジング２の上部には、液面検出器取付部１０が設けられている。液面検出器取付部１０は、ハウジング２から側方に突出して設けられている。液面検出器取付部１０は、液面検出器３が取り付けられる取付孔１１が形成されている。
【００１３】
液面検出器３は、燃料タンク内の液面に浮かぶフロート（不図示）にアーム１３を介して接続された回転体１４の回転位置に基づいて燃料タンク内の液面の位置を検出するものである。回転体１４は、円板状に形成されており、その中心軸（不図示）が液面検出器本体１６に対して水平方向に延びる軸回りに回転自在に支持されている。
【００１４】
液面検出器本体１６は、可変抵抗手段を備え、回転体１４の回転位置に応じた電気信号を生成するものである。液面検出器本体１６には、複数の配線１７が設けられている。複数の配線１７は、プラス側配線１７ａと、マイナス側配線１７ｂと、を含む。複数の配線１７は、コネクタ７と電気的に接続されている。コネクタ７は、外部電源及び制御装置（不図示）と電気的に接続されており、液面検出器本体１６に電力を供給すると共に制御装置に液面検出器３の検出信号を出力する。
【００１５】
複数の配線６，１７の先端には、複数の電装部品側端子２０が設けられている。電装部品側端子２０は、配線６，１７の絶縁被覆を剥いだ導体部と電気的に接続されている。電装部品側端子２０は、例えば、メス型の平端子である。複数の電装部品側端子２０は、プラス側の電装部品側端子２０ａと、マイナス側の電装部品側端子２０ｂと、を含む。
【００１６】
ハウジング２には、複数の電装部品側端子２０と電気的に接続された複数のハウジング側端子２１が設けられている。ハウジング側端子２１は、コネクタ７と電気的に接続されている。ハウジング側端子２１は、例えば、雄型の平端子である。複数のハウジング側端子２１は、プラス側のハウジング側端子２１ａと、マイナス側のハウジング側端子２１ｂと、を含む。
【００１７】
ハウジング２は、複数のハウジング側端子２１を収容する複数の端子収容部３０を有する。複数の電装部品側端子２０は、複数の端子収容部３０の内部で、複数のハウジング側端子２１と電気的に接続されている。複数の配線６，１７は、ハウジング２に設けられたフック部２２に保持される。また、複数の配線６，１７は、結束部材２３によって複数の端子収容部３０のピッチに合せて保持される。
【００１８】
複数の端子収容部３０は、図１（ｂ）に示すように、プラス側の複数のハウジング側端子２１ａを収容する平面視円形の複数の円筒部３１と、マイナス側の複数のハウジング側端子２１ｂを収容する平面視矩形の複数の角筒部３２と、を有する。複数の円筒部は、所定方向（ハウジング２の接線方向）に列を形成している。また、複数の角筒部３２は、所定方向に列を形成すると共に、該所定方向に対し交差した斜め方向で複数の円筒部３１に隣接している。
【００１９】
複数の角筒部３２は、所定方向に長辺を有し、所定方向と直交する列幅方向（ハウジング２の半径方向）に短辺を有する平面視長方形に形成されている。複数の角筒部３２は、列幅方向において、角筒部３２の中心位置と円筒部３１の中心位置とが一致しないように、所定方向におけるピッチが複数の円筒部３１のピッチよりも大きくなっている。すなわち、複数の円筒部３１の列と複数の角筒部３２の列が、所定方向においてずれて配置されている。
【００２０】
図１（ａ）に戻り、複数の円筒部３１には、複数の円筒部３１と複数のプラス側配線６ａ，１７ａとの間を液密にシールするシール部材４０が設けられている。シール部材４０は、円筒部３１の内周面に嵌合するシールリップ部を有するグロメットである。シール部材４０は、プラス側配線６ａ，１７ａの周面に取り付けられる。一方、シール部材４０は、マイナス側配線６ｂ，１７ｂの周面には取り付けられていない。すなわち、複数の角筒部３２には、燃料タンク内の燃料が浸入可能とされている。
【００２１】
上記構成の燃料供給装置１によれば、図１（ｂ）に示すように、複数の端子収容部３０が複数の円筒部３１と複数の角筒部３２とを含み、複数の円筒部３１及び複数の角筒部３２が所定方向に列を形成すると共に、複数の角筒部３２は、所定方向に対し交差した斜め方向で複数の円筒部３１に隣接するため、所定方向に対し直交する列幅方向において複数の端子収容部３０の設置スペースを幅Ｗ１に縮小化することができる。
【００２２】
また、複数の円筒部３１には、プラス側の複数のハウジング側端子２１ａが収容され、図１（ａ）に示すように、複数のシール部材４０によって、複数の円筒部３１と複数のプラス側配線６ａ，１７ａとの間が液密にシールされるため、電気的な短絡を防止することができる。すなわち、プラス側が液密にシールされていれば、マイナス側が燃料に浸っても問題ないため、マイナス側の複数のハウジング側端子２１ｂを収容する複数の端子収容部３０を、シール部材４０（グロメット）が付かない角筒部３２とすることで、複数の端子収容部３０を全て円筒部３１とする場合（幅Ｗ２）よりも複数の端子収容部３０をコンパクトに配置することができる。
【００２３】
このように、上述の本実施形態によれば、ハウジング２と、ハウジング２に取り付けられた複数の液面検出器３及び電動ポンプ４と、液面検出器３及び電動ポンプ４から延びる複数の配線６，１７と、複数の配線６，１７の先端に設けられた複数の電装部品側端子２０と、ハウジング２に設けられ、複数の電装部品側端子２０と電気的に接続された複数のハウジング側端子２１と、を有し、ハウジング２は、複数のハウジング側端子２１を収容する複数の端子収容部３０を有し、複数の端子収容部３０は、プラス側の複数のハウジング側端子２１ａを収容する平面視円形の複数の円筒部３１と、マイナス側の複数のハウジング側端子２１ｂを収容する平面視矩形の複数の角筒部３２と、を含み、複数の円筒部３１は、所定方向に列を形成し、複数の角筒部３２は、所定方向に列を形成すると共に、所定方向に対し交差した斜め方向で複数の円筒部３１に隣接し、複数の円筒部３１に嵌合して、複数の円筒部３１と複数のプラス側配線６ａ，１７ａとの間を液密にシールする複数のシール部材４０を有する、という構成を採用することによって、端子収容部３０の設置スペースを縮小化することのできる燃料供給装置１が得られる。
【００２４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【符号の説明】
【００２５】
１…燃料供給装置、２…ハウジング、３…液面検出器（電装部品）、４…電動ポンプ（電装部品）、６…配線、１７…配線、２０…電装部品側端子、２１…ハウジング側端子、３０…端子収容部、３１…円筒部、３２…角筒部、４０…シール部材
【図１】
2016176410.tif 000003